(57)【特許請求の範囲】
【請求項１】
箱状の収納ケースであって蓋上面に一端が開放するスリットを入れることで蓋上面に複数のレール板（１０）を形成し収納ケース本体に開閉自在に係合したユニット式釣具フックカバー兼収納ケース。
【請求項２】
請求項１記載のユニット式釣具フックカバー兼収納ケースであって蓋の上面にスリットを跨ぐ様にコ字状のホールド（６）を設けホールドの下面には蓋の上面に空間を空けて弾力部材を設けたことを特徴とするユニット式釣具フックカバー兼収納ケース。
【請求項３】
請求項１又は２に記載のユニット式釣具フックカバー兼収納ケースであって、それぞれのレール板（１０）のレール板下面にレール板中央長手方向に添ってフックの仕切壁設け、そのうち少なくとも一つの仕切壁をレール板よりも突出させてレール板をケース本体に閉鎖した時にロック可能にしたユニット式釣具フックカバー兼収納ケース。
【請求項４】
請求項１、２、３いずれかに記載のユニット式釣具フックカバー兼収納ケースであって収納ケース本体は、さらに中央部に開閉軸を設けて２段に開く様にしたユニット式釣具フックカバー兼収納ケース。
【発明の詳細な説明】
【技術分野】
【０００１】
本発明は、釣具用のフックカバーとルアーケースをユニット式の構成を採用した。
ユニット式釣具フックカバー兼収納ケースに関する。
【背景技術】
【０００２】
従来はルアーにフックを設けた構成のルアーにブレード又はプロペラから
アームを介して重り及びラバースカートなどを設けた構成のルアーがあります。
これらの専用のケースが様々な形のケースが合ってスペースの問題それらのケースをまとめて収納するボックスが大きくなるコンパクト化の問題が考えられる。
【０００３】
従来の収納ケースは様々なルアーの特徴を捉えることによって必要のない領域が存在する。専用ケース内に出来る無駄な領域があるスペースの問題が考えられる。
【０００４】
なお、先行技術を調査した結果次のような文献（1）、（2）、（3）、（4）が挙げられるので以下に概述する。文献（1）は、特開２０００−３００１３８の釣り針用カバーは一対の釣り針全体を包み込むケース型の構成で一対の釣り針を両カバー構成材における結合境界部分の少なくとも一箇所で釣り針の軸を挿通する通行が形成可能とされる釣り針用カバーで取り扱いの容易さと様々な釣り針の収納する等を意図する。文献（2）は特開０８-２１４７４９の釣り用ルアーケースは、複数の通し溝を形成した係止め板と複数の挟み溝を形成した保持体とを収納するルアーの大きさに応じて適宜間隔をおいてケース本体に装着されるルアーが移動しないように収納が出来ることから見易い状態でルアーの保護とルアー同士が絡みあわないことを意図する。文献（３）特開２００３-２８９７７８釣り用ルアーケースはケース本体にルア一室がありその前面側が奥面側より上方に位置する構成でありルアー室には、スリットを備えた区画板と奥面側に水抜き穴を設けた構成でルアーを一個ずつ見やすい状態でルアーの保護とルアーの出し入れの容易と湿気対策などを意図する。文献（４）は、特開２００３−３１０１２６の釣り用のルアーケースはケース本体とケース本体に上下係止め手段を介して収容されるルアー係止体とで構成し、ルアー係止体を底付き係止溝を備えた山形状頂面と、山形状頂面より垂設された多数の長孔を備える一面側板と山形状頂面より垂設された他面側板とで構成する。アーム及びまたは針を支持する長孔を備える一面側板を設けてルアーの簡易に収容と絡みに整列などを意図する。
【特許文献１】特開２０００-３００１３８
【特許文献２】特開０８−２１４７４９
【特許文献３】特開２００３−２８９７７８
【特許文献４】特開２００３−３１０１２６
【発明の開示】
【発明が解決しようとする課題】
【０００５】
文献（１）、（２）、（３）、（４）の前記した問題は、１箇のルアーによって取扱いの問題と１箇のルアーの型によってケースを探す不便の問題と専用ケースにおいて無駄なスペースが取扱者によって生じてしまう問題と釣り道具は釣り道具であり芸術品でもあるルアーをケースに収納でなく観賞するための道具に変化する問題が考えられます。
【０００６】
次に本発明を提案した。ユニット式釣具フックカバー兼収納ケースの改良技術としてあげた文献（１）、（２）、（３）、（４）に関しても課題があるので個別に説明する。
【０００７】
文献（１）は、１対のはりにカバーを取り付けるのは、不便が考えられる。
【０００８】文献（２）は、ルアーの取出しは容易だが取扱いは針があるので不便がある。また針が係止め板に当たるので針の保護が出来ない。専用のケースでありまたこのケースを収納するボックスを探す不便が考えられる。【０００９】
文献（３）は、ルアー室が傾斜しているためにルアーが梃子となって奥のフックが区画板に接触して取出しが困難で人の指が入らなければ小型のルアーが取り出せずルアー室を多段多数増やせばその分取出しとルアー室の中央に位置するルアーの全体の確認は不便が比例する。また取扱いでは針があるので不便が考えられる。それに１箇ずつルアー室を出してルアーを取り出すのも面倒であり、そのルアー室一面が一体であればなおさら不便であることが考えられる。
【００１０】
文献（４）は、垂直整列されることは取り出し入れに対するスペースが大きいことから無駄なスペースが考えられる。
【課題を解決するための手段】
【００１１】
本発明は、上記課題を解決するために次のような技術的手段を採る。
【００１２】
請求項１，２の発明は、上部にルアーが軌道する途中に事前格納空間が設けてあるのでフックのサイズが適応でないものであれば締めてから解る。嵩引りとフックの突き上げを回避することを意図する。
【００１３】
請求項１，２の発明は、フックのサイズに応じて必要領域でフックを隠すことで手の平サイズで取扱いの容易を意図する。
【００１４】
請求項１、２の発明は、ラベルに記入していればルアーの確認が容易を意図する。
【００１５】
請求項１、２の発明はユニットによって組み替えれば観賞台として仕様を意図する。
【００１６】請求項１、２、３、４の発明は、使用後濡れたルアーを乾かす台と解体すれば掃除も出来ることを意図する。【００１７】
請求項３、４の発明はスペースの有効利用と天びんで重りのついた所を考えてケースから手を使わずに取り扱いやすい位置に来ることを意図する。
【００１８】請求項１、２、３、４の発明は収納されたルアーが２箇所の軸によって飛び出すことを意図する。【００１９】請求項１、２、３、４の発明は凹凸を最小限にした箱形状にすることで多数のユニット式釣具フックカバー兼収納ケースを所持してもまとめやすいことを意図する。
【発明の効果】
【００２０】
以上説明したように本発明者も、この種のユニット式釣具フックカバー兼収納ケースを使用して重宝しています。その理由は釣場に持って行かないルアーや大切なルアーを自宅で観賞用として飾っていること、釣り場では前もってまとめてあるので取扱易いことを意図する。取扱者によっては一個づつ収納でなく専用ケースに収納でもなくコンパクトにした手の平サイズによってポケットに入れていくことが出来るために不要な行動がなく扱いやすいことを意図する。
【発明を実施するための最良の形態】
【００２１】
以下、本発明の好適な一実施形態を添付図面に従って説明する。
【００２２】図１より、ルアーに連結されるフックの構造を示す。フック（Ｔ）は、針１（Ｔ−１）と針２（Ｔ−２）が連結されて一形体です。図２より、ルアー・スプリットリング・フックを連結した中心よりフック（Ｔ）を平面視して最長（Ｔ−ｃ）とフックを連結する部分の厚さ（Ｔ−ａ）を示す。図３は、図２の側面視図で針１と針２の集結のフックの厚さ（Ｔ−ｂ）フックの高さ（Ｔ−ｄ）針先の働く最長の領域（Ｔーｅ）を示す。図４より、ルアー（Ｒ）を側面視して連結部前後（Ｒ１、Ｒ２）つなぐスプリットリング側面（Ｓ−ｂ）つなぐフック背面（Ｔ−３）が確認と連結部の厚さ（Ｒ−ａ）を示す。図５は、ルアー（Ｒ）とフック（Ｔ）をつなぐ連結部材のスプリットリング平面（Ｓ−ａ）と側面（Ｓ−ｂ）と幅（Ｓ−ｃ）を示す。図６より、ルアー（Ｒ）を正面視すると前後のフックが重なる。この前後のフックを確保するための軌道部分を示す。１・ルアーの連結部の連結口を正面にしたスプリットリングの幅（Ｓ−ｃ）  ２・ルアー（Ｒ）を正面視した連結部の厚さ（Ｒ−ａ）  ３・ルアー（Ｒ）を正面視したフックを連結する部分の厚さ（Ｔ−ａ）  この３つの部分を図７と図８よりレール板Ｔ型（１０）と左右レール板Ｌ型（２０、３０）を設置するこの軌道部はスプリットリングの幅（Ｓ−ｃ）はサイズによって応じる  かつ  ルアー（Ｒ）の連結部の厚さ（Ｒ−ａ）に応じる  かつ  フックの連結する部分の厚さ（Ｔ−ａ）はサイズに応じて軌道口（４１）から軌道部を往来する様に適応間隔に設置することを示す。レール板Ｔ型（１０）はフック（Ｔ）の針先の働く最長の領域（Ｔ−ｅ）に応じてレール板Ｔ型の幅（１０−ａ）を適応幅とともにフックの高さ（Ｔ−ｄ）とフックの最長（Ｔ−ｃ）に応じて形成する。左右レール板Ｌ型は、フックの高さ（Ｔ−ｄ）とフックの最長（Ｔ−ｃ）に応じて形成する。このことからフック（Ｔ）の針先の働く最長の領域（Ｔ−ｅ）に応じてレール板のみの（レール板Ｔ型（１０）に於いて）形成で一体にした上部（１）またはルアーフック用レール板集合体（１Ａ）の側壁を無い構成も可能です。【００２３】図９よりルアーブレード（Ｒａ）のダウンアーム中心軸（y）とアッパーアーム中心軸（ｘ）が交差する中心軸交点（Ｏ）で収納を考える。図１０、１１、１２、よりダウンアームを軌道部に入れるその時アッパーアームは保持体裏面に行く図１０のカーブ１（Ｃ１）に中心軸交点（Ｏ）でダウンアームとアッパーアームの中心軸（ｘｙ）が重なった状態から収納するときカーブ３（Ｃ３）によって収納が容易になることから図９のルアーブレード（Ｒａ）がケースから手を使わずにケースを傾けることで図１０より中心軸交点（Ｏ）がカーブ１（Ｃ１）に行ってさらにケースを傾けることで矢印のように移動するのでカーブ３（Ｃ３）が軌道部（５０）へ導く。よって取り出し入れは容易です。図１０より保持板（Ｈ１）はダウンアームの中心軸がケースの平行以上で図１２の位置で軌道部（５０）の数に応じてカーブ２（Ｃ２）も同じで形成と左右レール板Ｌ型Ａ（Ｈ２、Ｈ３）と複数のレール板Ｔ型Ａ（Ｈ４）によって出来る軌道部はダウンアームの厚さ（Ｒａーａ）に応じると共にスプリットリングの幅（Ｓ−ｃ）も応じる適応間隔で左右レール板Ｌ型Ａ（Ｈ２、Ｈ３）とレール板Ｔ型Ａ（Ｈ４）を形成する。さらに保持板（Ｈ１）と一体に形成した構成を保持体（Ｈ）です。保持体（Ｈ）を背面視すると保持板から上方へ山形状にレール板Ｔ型Ａ（Ｈ４）並びに左右レール板Ｌ型Ａ（Ｈ２，Ｈ３）も同形でカーブ３（Ｃ３）が設けている。図１２より、この保持体（Ｈ）はルアーブレード用保持板付レール板集合体（Ｐ１）に備わる。【００２４】図１３，１４，１５，１６より、保持体（Ｈ）がルアープロペラ（Ｒｂ）を収納では前記載に対して反比する。それはルアーブレード（Ｒａ）のダウンアームに重りがあって移動を考えたので、ルアープロペラはアッパーアームが重いので、保持体（Ｈ）は反比で考えられるが、図１３よりＺの位置にプロペラを軸にヘッド（Ｒｂ２）が移動してそこを側面視したのが図１４で、この状態で保持体α型を進入させる。ここでは注意点として、フィンの角度（Ｒｂ１００）に対してプロペラの中心軸に基づいて保持板中心（Ｈ１−ａ）によって出来る角度はフィンの角度に応じるとともにプロペラからアームを介した角度にも応じてルアープロペラ用保持板付レール板集合体（Ｐ２）の図１６より適応の位置に設定して一体に形成した構成図です。【００２５】
図１７より、フックカバーの必要部材で、複数のレール板Ｔ型（１０）と左右レール板Ｌ型を備えた上部１下部（２）は組みあって箱形状にするために形成と軌道口（４１）の数に応じて爪（２−ｃ）と凸部（２−ａ、２−ｂ）を設けて一体に形成する。
下部の凸部（２−ａ）は上部１の凹部（１−ａ）と枢着して開閉式の箱形状になる。そのフック格納内にはラベルが備えられる。そしてルアーの固定に上部（１）の凹部（７００）とホールド（６）の凸部（８００）が枢着して一組です。
この上部（１）には事前格納空間（Ｍ）があるので、フックの突き上げを回避が出来る。またラベル（３）が格納内に入ることで記入が出来て取扱い図が記入してもある。
【００２６】図１８より、前記載の下部（２）を２分した下部前（２Ａ）と下部後（２Ｂ）に図１９よりルアーフック用レール板集合体（１Ａ）と容器（Ｐ３）に図２０よりルアーブレード用保持板付レール板集合体（Ｐ１）とルアープロペラ用保持板付レール板集合体（Ｐ２）に図２１よりロック（５）と蓋（４）とホールド（６）以上をまとめたのが図２２でこれより説明をする。板チョコレートを折るようにしてケースから飛び出すために下部前（２Ａ）と下部後（２Ｂ）を形成する。下部前の凸部（３００）はルアーフック用レール板集合体とルアーブレード用保持板付レール板集合体とルアープロペラ用保持板付レール板集合体と容器は共通で凹部（４００）と枢着すると同様に下部後の凸部（６００）は凹部（５００）と枢着する。そしてルアーフック用レール板集合体（１Ａ）に対応のラベル（３Ａ）の備えと下部前の凸部（１００）とロック（５）の凹部（２００）と枢着する。このときの枢着時は下部前（２）の側厚は２層になっておりロック（５）と組み合う部分は側厚１層になっていて組み合えば格納内がすっきりした状態になる。そして複数のルアー（５）の後方を固定するためのルアーフック用レール板集合体（１Ａ）の凹部（７００）とホールド（６）の凸部（８００）が枢着する。ホールド（６）には弾力部材（６−ａ）が設けてあることからルアー（５）の固定で整列が出来る。次にルアーブレード用保持板付レール板集合体とルアープロペラ用保持板付レール板集合体と容器に対応の下部前（２Ａ）と枢着する蓋（４）が組み合うことで、フックカバー２（ＦＡ）とルアーブレード収納ケース（ＦＡ１）とルアープロペラ収納ケース（ＦＡ２）とルアーフリー収納ケース（ＦＡ３）の４タイプでスペース解消とコンパクト化に観賞用に多目的に合理化した。【００２７】
図２３より、ルアーブレード収納ケース（ＦＡ１）、ルアープロペラ収納ケース（ＦＡ２）ルアーフリー収納ケース（ＦＡ３）に共通する下部前（２Ａ）と蓋（４）の働きはこの状態は閉まった状態で凸部（４−ａ）と凸部（２Ａーａ）で固定されている。蓋（４）を開ければ凸部（４−ａ）が凸部（２Ａーａ）を越える。閉まるときの働きも同じです。次にフックカバー２（ＦＡ）の下部前に組み合った状態は、フックカバー１（Ｆ）と同じで、閉まった状態から凸部（２−ｂ、５−ａ）は、凸部（１−ｂ，１Ａーａ）を越えて開くその時に軌道口（４１）閉ざした爪（２−ｃ，５−ｂ）も同様で開く。閉まるときは凸部（２−ｂ，５−ａ）が凸部（１−ｂ，１Аーａ）を越えて固定されると同時に爪（２−ｃ，５−ｂ）が軌道口（４１）を閉ざす。
【００２８】図２４より、ルアーブレード用保持板付レール板集合体（Ｐ１）ルアープロペラ用保持板付レール板集合体（Ｐ２）容器（Ｐ３）の容積を広くするときの形成は下部後（２Ｂ）と枢着する所から大きくする。大きくした中央部の側面は、開閉時の必要領域を除く下部後（２Ｂ）と合わせる。そして蓋（４）も大きくなります。
【実施例１】
【００２９】
請求項１，２，３，４，５，の記載のユニット式釣具フックカバー兼収納ケースは請求項１，２，のフックのサイズによって規格されたユニット式釣具フックカバー兼収納ケースは、ルアーに応じる専用ケースを収納するケースを考えずに３タイプのルアーをユニット式釣具フックカバー兼収納ケースは、規格に応じることでコンパクト化でありスペースの無駄を無くしたことを意図する。
【００３０】
請求項６の記載のユニット式釣具フックカバー兼収納ケースを拡張するのはルアーの大きさに応じるそこで全ユニットの正面なら背面と平面なら背面と右側面なら左側面が同寸法であれば両面を接合して一体に構成することで板チョコレートを折るようにルアーが出せることを可能する。
【図面の簡単な説明】
【００３１】
【図１】フックの構造を示す構成図
【図２】フックの一例を説明する平面視した構成図
【図３】フックの一例を説明する側面視した構成図
【図４】ルアーの一例を説明する側面視した構成図
【図５】スプリットリングを平面視と側面視した構成図
【図６】ＲＳＴ軌道の一例を説明する正面視した略断面構成図
【図７】左右レール板Ｌ型とレール板Ｔ型の一例を説明する平面視した構成図
【図８】左右レール板Ｌ型とレール板Ｔ型の一例を説明する正面視した構成図
【図９】ルアーブレードの一例を説明する平面視した構成図
【図１０】保持板の一例を説明する平面視した構成図
【図１１】保持体の一例を説明する平面視した構成図
【図１２】ルアーブレード用保持体付レール板集合体の一例を説明する側面視した構成図
【図１３】ルアープロペラの一例を説明する正面視した構成図
【図１４】図１３よりＺーＺの位置にＲｂ２移動させてルアープロペラの一例を説明する側面視した構成図
【図１５】保持体α型の一例を説明する側面視した構成図
【図１６】ルアープロペラ用保持板付レール板集合体の一例を説明する側面視した構成図
【図１７】上部、下部の多方面視と上部、下部、ホールドの３体合体内ラベルの側面視した分解説明図
【図１８】下部前、下部後の多方面視した構成図
【図１９】ルアーフック用レール板集合体と容器を多方面視した構成図
【図２０】ルアーブレード用保持板付レール板集合体とルアープロペラ用保持板付レール板集合体を多方面視した構成図
【図２１】ロック、蓋、ホールドを多方面視した構成図
【図２２】ユニット式釣具フックカバー兼収納ケースを側面視した分解説明図
【図２３】開閉部の固定を説明する多方面視した略断面構成図
【図２４】容積を拡張の一例を説明する側面視と平面視した略構成図
【図２５】ユニット式釣具フックカバー兼収納ケースの一例を説明する斜視した構成図
【符号の説明】
【００３２】  １、上部  １−ａ凹部  １−ｂ凸部  ２、下部  ２−ａ凸部  ２−ｂ凸部  ２−ｃ爪   ３、ラベル  ３Ａラベル  ４、蓋  ４−ａ凸部  Ｐーａ蓋の必要とする領域  ５、ロック  ５−ａ凸部  ５−ｂ爪  ６、ホールド  ６−ａ弾力部材１０、レール板Ｔ型  １０−ａレール板Ｔ型の幅  １０−ｂ左右レール板Ｌ型の幅２０、左レール板Ｌ型３０、右レール板Ｌ型４０、軌道部  ４１、軌道口５０、軌道部  ５１，軌道口１Ａ、ルアーフック用レール板集合体  １Ａーａ凸部２Ａ、下部前  ２Ａーａ凸部  ２Ａーｂ連結板２Ｂ  下部後  ２Ｂ−ａ枢着板の必要領域  ２Ｂーｂ蓋の必要領域１００  凸部２００  凹部３００  凸部４００  凹部５００  凹部６００  凸部７００  凹部８００  凸部Ｍ；事前格納空間  Ｐ１；ルアーブレード用保持板付レール板集合体  Ｆ；フックカバー１  Ｐ２；ルアープロペラ用保持板付レール板集合体ＦＡ；フックカバー２  Ｐ３；容器ＦＡ１；ルアーブレード収納ケース  ＦＡ２；ルアープロペラ収納ケースＦＡ３；ルアーフリー収納ケースＺ；ルアープロペラのプロペラを中心軸でヘッドが移動した位置Ｒｂ；ルアープロペラ  Ｒｂ１；プロペラ  Ｒｂ２；ヘッドＲｂａ；ルアープロペラ用保持板付レール板集合体の容積の高さ  Ｒｂｂ；ダウンアームの厚さＲｂ１０  プロペラの中心軸Ｒｂ１００  フィンの角度Ｈα  保持体α型Ｈ１−ａ保持板中心  Ｈαー１保持体α型の進入箇所０  中心軸交点ｘ  アッパーアーム中心軸  ｙ  ダウンアーム中心軸Ｒａ  ルアーブレードＲａ−ａ  ダウンアームの厚さＲａ１  ブレードＣ１  カーブ１  Ｃ２  カーブ２  Ｃ３  カーブ３Ｈ１  保持板  Ｈ２  右レール板Ｌ型Ａ  Ｈ３  左レール板Ｌ型ＡＨ４  レール板Ｔ型ＡＨ  保持体ＲＳＴ  ルアー・スプリットリング・フックを連結した中心Ｔ−ａ  フックを連結する部分の厚さ  Ｒ      ルアーＴ−ｂ  フックの厚さ                Ｒ１    連結部前Ｔ−ｃ  ＲＳＴからの最長            Ｒ２    連結部後Ｔ−ｂ  フックの高さ                Ｒ−ａ  連結部の厚さＴ      フック                      Ｓ−ａ  スプリットリング平面Ｔ−１  針１                        Ｓ−ｂ  スプリットリング側面Ｔ−２  針２                        Ｓ−ｃ  スプリットリング幅Ｔ−３  フックの背面        （１）スプリットリングの軌道部分        （２）ルアーの連結部の軌道部分        （３）フックの軌道部分
【図１】
0003689893.tif 000002
【図２】
0003689893.tif 000003
【図３】
0003689893.tif 000004
【図４】
0003689893.tif 000005
【図５】
0003689893.tif 000006
【図６】
0003689893.tif 000007
【図７】
0003689893.tif 000008
【図８】
0003689893.tif 000009
【図９】
0003689893.tif 000010
【図１０】
0003689893.tif 000011
【図１１】
0003689893.tif 000012
【図１２】
0003689893.tif 000013
【図１３】
0003689893.tif 000014
【図１４】
0003689893.tif 000015
【図１５】
0003689893.tif 000016
【図１６】
0003689893.tif 000017
【図１７】
0003689893.tif 000018
【図１８】
0003689893.tif 000019
【図１９】
0003689893.tif 000020
【図２０】
0003689893.tif 000021
【図２１】
0003689893.tif 000022
【図２２】
0003689893.tif 000023
【図２３】
0003689893.tif 000024
【図２４】
0003689893.tif 000025
【図２５】
0003689893.tif 000026